(57)【要約】【課題】電話端末とデータ端末とを連動させるシステムにあって、セッション確立されたデータ端末間の通信帯域を各ユーザが意識することなく最適な通信帯域に設定し得るサーバ装置を提供する。【解決手段】ＶＣＳサーバＳＶＡにおいて、複数のデータ端末をネットワーク環境に応じてグループ化してこのグループと複数のデータ端末とを対応付けたグループテーブル１３４と、各グループの組み合わせとセッション確立される複数のデータ端末間で利用可能な帯域値とを対応付けた通信帯域テーブル１３５とを設け、主装置から呼情報イベントを受信した場合に、制御部１２の帯域割当制御部１２３によりグループテーブル１３４及び通信帯域テーブル１３５を参照して、セッション確立されるデータ端末に対しグループ単位で通信帯域の割り当てを行なうようにしている。【選択図】図２
2007259312.tif 000002
【特許請求の範囲】
【請求項１】
呼接続が行なわれる複数の電話端末を特定する電話ＩＤを含む呼情報イベントを受信し、前記複数の電話端末の電話ＩＤにそれぞれ関連付けられ、かつデータＩＤが割り当てられた複数のデータ端末における通信接続を前記呼接続に連動させるサーバ装置において、
前記複数のデータ端末を分割して構成したグループと、これらグループに属するデータ端末のデータＩＤとの対応関係を表すグループテーブルを記憶する第１の記憶手段と、
前記複数のグループの組み合わせと、通信接続が行なわれる複数のデータ端末間で利用可能な帯域との対応関係を表す帯域テーブルを記憶する第２の記憶手段と、
前記呼情報イベント受信時に、前記呼情報イベントに含まれる前記電話ＩＤに関連付けられたデータＩＤに基づいて、前記グループテーブル及び前記帯域テーブルを参照し、この参照結果に基づいて前記データＩＤに対応したデータ端末間の通信接続を実行し、これらデータ端末に対し帯域を割り当てる制御手段とを具備したことを特徴とするサーバ装置。
【請求項２】
複数の電話端末間の交換処理を実行する電話交換機を接続するインタフェースを備え、
前記制御手段は、前記電話交換機から通知される前記呼情報イベントに基づいて、前記グループテーブル及び前記帯域テーブルを参照し、この参照結果に基づいてデータ端末間の通信接続を実行し、これらデータ端末に対し帯域を割り当てることを特徴とする請求項１記載のサーバ装置。
【請求項３】
前記第２の記憶手段が、互いに異なる複数の帯域テーブルを記憶している場合に、予め決められた条件に基づいて前記複数の帯域テーブルのうちの１つを選択的に有効状態に設定する設定切替制御手段をさらに備えたことを特徴とする請求項１記載のサーバ装置。
【請求項４】
前記設定切替制御手段は、前記条件の判断に、時間帯、通信トラフィックのいずれか１つを用いることを特徴とする請求項３記載のサーバ装置。
【請求項５】
予め決められた条件に基づいて、前記グループテーブル中の任意のデータ端末が属するグループを更新する更新手段をさらに備えたことを特徴とする請求項１記載のサーバ装置。
【請求項６】
前記更新手段は、前記条件の判断に、任意のデータ端末の使用場所を用いることを特徴とする請求項５記載のサーバ装置。
【発明の詳細な説明】
【技術分野】
【０００１】
この発明は、例えば電話交換装置に対し通信路を介してサーバ装置を接続し、音声信号に加え映像信号やコンピュータデータ等も取り扱えるようにしたビジュアルコミュニケーションシステムのサーバ装置の改良に関する。
【背景技術】
【０００２】
オフィスや事業所では、構内ネットワークシステムが用いられている。この構内ネットワークシステムは、例えば電話機を構内交換装置（ＰＢＸ：Private Branch Exchange）やボタン電話装置といった電話交換装置に内線端末として収容し、内線端末と公衆網等の外部通信網との間及び内線端末相互間を電話交換装置により交換接続して通話を可能にしている。
【０００３】
また、最近では、テレビ電話端末やパーソナル・コンピュータ等のデータ端末を接続したサーバを伝送路を介して電話交換装置に接続し、電話交換装置を用いた音声通信系と、サーバを用いたデータ通信系とを連動させるシステムも提案されている。
【０００４】
ところで、上記のような電話交換装置とサーバとの並列型のシステムにあっては、データ端末間のデータ通信接続を電話端末の呼状態に連動させて、テレビ会議等を構築するといったビジュアルコミュニケーションシステムについても強く望まれている。ところで、サーバと複数のデータ端末との間の通信ネットワークにあっては、使用時間帯や使用環境等によって処理負荷やトラフィック負荷が大きくなる場合があり、データ端末間のセッション確立にエラーが発生することもある。
【０００５】
なお、従来では、サーバにてセッション確立を行うデータ端末の品質情報（使用可能なコーデック／帯域情報）をそれぞれから取得し、最適な帯域を算出してそれぞれのデータ端末へ通知することにより、データ端末間で最適な帯域にてセッションを確立させる手法も提案されている（例えば、特許文献１）。
【特許文献１】特開２００５−１２９９８１公報
【発明の開示】
【発明が解決しようとする課題】
【０００６】
しかしながら、上記手法では、データ端末の品質情報の取得からデータ端末間のセッション確立までの処理をサーバで実行しているため、サーバにおける処理負荷が大きくなる。このことは、システムの規模が大きくなればなるほど顕著となる。
【０００７】
そこで、この発明の目的は、電話端末とデータ端末とを連動させるシステムにあって、セッション確立されたデータ端末間の通信帯域を各ユーザが意識することなく最適な通信帯域に設定し得るサーバ装置を提供することにある。
【課題を解決するための手段】
【０００８】
この発明は、上記目的を達成するために、以下のように構成される。  
呼接続が行なわれる複数の電話端末を特定する電話ＩＤを含む呼情報イベントを受信し、複数の電話端末の電話ＩＤにそれぞれ関連付けられ、かつデータＩＤが割り当てられた複数のデータ端末における通信接続を呼接続に連動させるサーバ装置において、複数のデータ端末を分割して構成したグループと、これらグループに属するデータ端末のデータＩＤとの対応関係を表すグループテーブルを記憶する第１の記憶手段と、複数のグループの組み合わせと、通信接続が行なわれる複数のデータ端末間で利用可能な帯域との対応関係を表す帯域テーブルを記憶する第２の記憶手段と、呼情報イベント受信時に、呼情報イベントに含まれる電話ＩＤに関連付けられたデータＩＤに基づいて、グループテーブル及び帯域テーブルを参照し、この参照結果に基づいてデータＩＤに対応したデータ端末間の通信接続を実行し、これらデータ端末に対し帯域を割り当てる制御手段とを備えるようにしたものである。
【０００９】
この構成によれば、複数のデータ端末をネットワーク環境に応じてグループ化してこのグループと複数のデータ端末とを対応付けたグループテーブルと、各グループの組み合わせと通信接続が行なわれる複数のデータ端末間で利用可能な帯域とを対応付けた帯域テーブルとを用意したことにより、呼情報イベントを受信した場合に、グループテーブル及び帯域テーブルを参照して、通信接続されるデータ端末に対しグループ単位で通信帯域の割り当てを行なうことができる。
【００１０】
従って、例えば複数の会社や複数の部署、個人が１つのシステムを共用する場合に、各会社、各部署または個人ごとに利用可能な通信帯域を割り当てることができ、これによりシステムを利用するユーザは自身の環境を意識することなく、最適な形でビデオ通信を行なうことができる。また、データ端末単位で通信帯域を割り当てる場合に比べてメモリ容量を圧迫することなく、さらに処理負荷も軽減できる。
【００１１】
第２の記憶手段が、互いに異なる複数の帯域テーブルを記憶している場合に、予め決められた条件に基づいて複数の帯域テーブルのうちの１つを選択的に有効状態に設定する設定切替制御手段をさらに備えたことを特徴とする。
【００１２】
この構成によれば、例えば時間帯や通信トラフィック等に応じて最適な帯域テーブルを選択設定して通信帯域の割り当て制御を行うことが可能となり、また設定を行なう保守者の負担は最小限に抑えられる。
【００１３】
予め決められた条件に基づいて、グループテーブル中の任意のデータ端末が属するグループを更新する更新手段をさらに備えたことを特徴とする。
【００１４】
この構成によれば、任意のデータ端末について企業内で使用される場合については通信帯域が広いグループに属し、家庭内で使用される場合については通信帯域が狭いグループに属する等、利用環境等に応じて最適なグループに変更することができる。
【発明の効果】
【００１５】
以上詳述したようにこの発明によれば、電話端末とデータ端末とを連動させるシステムにあって、セッション確立されたデータ端末間の通信帯域を各ユーザが意識することなく最適な通信帯域に設定し得るサーバ装置を提供することができる。
【発明を実施するための最良の形態】
【００１６】
以下、この発明の実施形態について図面を参照して詳細に説明する。  
（第１の実施形態）  
図１は、この発明の第１の実施形態に係わるビジュアルコミュニケーションシステムを示す概略構成図である。
【００１７】
このシステムは、同図に示すように、主装置ＢＴと、ＶＣＳ（Video Communication Solution）サーバＳＶＡとを備え、これら主装置ＢＴとＶＣＳサーバＳＶＡとの間をＬＡＮ（Local Area Network）１により接続している。
【００１８】
主装置ＢＴは、内線端末Ｔ１１〜Ｔ１ｉを内線を介して収容している。また、主装置ＢＴは公衆網ＮＷに局線Ｌを介して接続されている。そして、主装置ＢＴは、内線端末Ｔ１１〜Ｔ１ｉ相互間、もしくは内線端末Ｔ１１〜Ｔ１ｉと公衆網ＮＷとの間の交換処理を実行する。
【００１９】
ＶＣＳサーバＳＶＡは、複数のデータ端末ＰＣ１〜ＰＣｎをＩＰネットワークＩＰＮを介して収容している。これらのデータ端末ＰＣ１〜ＰＣｎは、いずれも汎用のパーソナル・コンピュータからなり、各内線端末Ｔ１１〜Ｔ１ｉにそれぞれ関連して動作するものである。
【００２０】
上記ＶＣＳサーバＳＶＡは、主装置ＢＴに対する付加的機能を実行するもので、例えば映像等のメディア情報を処理する。
【００２１】
図２は、上記ＶＣＳサーバＳＶＡの機能構成を示すブロック図である。  
ＶＣＳサーバＳＶＡは、ＬＡＮインタフェース（Ｉ／Ｆ）部１１と、制御部１２と、記憶部１３と、ＰＣインタフェース（Ｉ／Ｆ）部１４とを備えている。このうち、ＬＡＮインタフェース部１１は、ＬＡＮ１との間でインタフェース処理を行うものである。
【００２２】
ＰＣインタフェース部１４は、データ端末ＰＣ１〜ＰＣｎとの間のインタフェース処理を行うものである。
【００２３】
記憶部１３は、上記制御部１２の接続制御に必要なルーティング情報等を格納している。さらに、記憶部１３には、接続情報管理テーブル１３１と、内線端末−ＶＣ関連付けテーブル１３２と、セッション情報管理テーブル１３３と、グループテーブル１３４と、通信帯域テーブル１３５とが設けられる。
【００２４】
接続情報管理テーブル１３１には、図３に示す如く、内線端末Ｔ１１〜Ｔ１ｉそれぞれの電話番号（電話ＩＤ）と、接続状態を示す状態情報との対応関係を表すデータが記憶されている。なお、ｔ１〜ｔ９は上記内線端末Ｔ１１〜Ｔ１９それぞれの電話ＩＤを示している。ここでは、説明を簡単にするため、内線端末Ｔ１１〜Ｔ１９とする。
【００２５】
内線端末−ＶＣ関連付けテーブル１３２には、図４に示すように、内線端末Ｔ１１〜Ｔ１ｉとデータ端末（ＶＣ）ＰＣ１〜ＰＣｎとの対応関係を示すデータが記憶されている。なお、図中Ａ〜Ｉは、データ端末ＰＣ１〜ＰＣ９それぞれのユーザＩＤを示している。
【００２６】
セッション情報管理テーブル１３３には、図５に示すように、データ端末ＰＣ１〜ＰＣ９間のセッション状態を示す情報が記憶されている。
【００２７】
グループテーブル１３４には、図６に示すように、ネットワーク環境に応じてデータ端末ＰＣ１〜ＰＣ９を分割して構成した複数のグループＧｒｏｕｐ１，Ｇｒｏｕｐ２，Ｇｒｏｕｐ３と、これらのグループＧｒｏｕｐ１，Ｇｒｏｕｐ２，Ｇｒｏｕｐ３に属する複数のデータ端末ＰＣ１〜ＰＣ９のユーザＩＤとの対応関係を表すデータが記憶されている。
【００２８】
通信帯域テーブル１３５には、図７に示すように、グループＧｒｏｕｐ１，Ｇｒｏｕｐ２，Ｇｒｏｕｐ３の組み合わせと、利用帯域値との対応関係を表すデータが記憶されている。
【００２９】
一方、制御部１２は、データ端末ＰＣ１〜ＰＣｎの状態管理やデータ端末ＰＣ１〜ＰＣｎと内線端末Ｔ１１〜Ｔ１ｉとの連携動作に係わる制御機能に加え、この発明に係わる新たな機能として、接続情報登録部１２１と、セッション制御部１２２と、帯域割当制御部１２３とを備えている。
【００３０】
接続情報登録部１２１は、主装置ＢＴから通知された呼情報イベントを分析することで、例えば内線端末Ｔ１５と内線端末Ｔ１６が通話中になったことを判断し、接続情報管理テーブル１３１の状態情報「ｔ５−ｔ６」を追加する。
【００３１】
セッション制御部１２２は、上記状態情報に基づき、内線端末−ＶＣ関連付けテーブル１３２により内線端末Ｔ１５はデータ端末ＰＣ５に、内線端末Ｔ１６はデータ端末ＰＣ６に関連付いていることを読み出して、セッション情報管理テーブル１３３によりデータ端末ＰＣ５，ＰＣ６のセッション状態を検索する。例えば、これから通話を開始するような場合、データ端末ＰＣ５，ＰＣ６はセッションが開始されていないため、セッション制御部１２２はデータ端末ＰＣ５，ＰＣ６のセッションを開始するように制御する。そして、セッション制御部１２２は、データ端末ＰＣ５，ＰＣ６のセッションが確立すると、セッション情報管理テーブル１３３の記憶内容を更新する。
【００３２】
帯域割当制御部１２３は、上記セッション制御部１２２によりセッション確立を行う場合に、グループテーブル１３４をもとにデータ端末ＰＣ５，ＰＣ６それぞれのグループ名を判定する。ここでは、データ端末ＰＣ５，ＰＣ６がＧｒｏｕｐ２に属するので、通信帯域テーブル１３５をもとに割り当てる通信帯域値を決定し、Ｇｒｏｕｐ２−Ｇｒｏｕｐ２間であるので、「１．５Ｍｂｐｓ」を割り当てる。
【００３３】
次に、以上のように構成されたビジュアルコミュニケーションシステムの動作を説明する。  
図８は、上記データ端末ＰＣ５，ＰＣ６を内線端末Ｔ１５，Ｔ１６に関連付ける場合の動作を示すシーケンス図である。図９は、データ端末ＰＣ５，ＰＣ６に割り当てる通信帯域値を決定する際のＶＣＳサーバＳＶＡの制御処理手順を示すフローチャートである。
【００３４】
データ端末ＰＣ５，ＰＣ６は、ＶＣＳサーバＳＶＡへのログオン時に、ユーザ名（ユーザＩＤ）、関連付け電話番号をＶＣＳサーバＳＶＡへ送信し、受け取ったＶＣＳサーバＳＶＡはその情報をクライアント情報として記憶部１３の内線端末−ＶＣ関連付けテーブル１３２に登録、保持する（図８（１））。
【００３５】
例えば内線端末Ｔ１６においてユーザが、内線端末Ｔ１５への通話を要求する操作を行なったとする。そうすると内線端末Ｔ１６からその要求信号が主装置ＢＴに送られる。この通信確立要求信号を受信すると主装置ＢＴは、着信先の内線端末Ｔ１５を呼び出す。そして、これに対し内線端末Ｔ１５が応答すると、内線端末Ｔ１５と内線端末Ｔ１６との間に通信リンクを形成し（図８（２））、内線端末Ｔ１５，Ｔ１６間が通話中である旨を示す呼情報イベントをＶＣＳサーバＳＶＡに送信する（図８（３））。
【００３６】
ＶＣＳサーバＳＶＡは、呼情報イベントを受信すると（ステップＳＴ９ａ）、まずこの呼情報イベントに含まれる内線端末Ｔ１５，Ｔ１６の電話ＩＤ（ｔ５，ｔ６）を対応付けて接続情報管理テーブル１３１に記憶する。
【００３７】
そして、ＶＣＳサーバＳＶＡは、内線端末−ＶＣ関連付けテーブル１３２を参照して、内線端末Ｔ１５，Ｔ１６にそれぞれ関連付けられたデータ端末ＰＣ５，ＰＣ６が存在するか否かの判定を行なう（ステップＳＴ９ｂ）。ここでは、存在しているので、ＶＣＳサーバＳＶＡはデータ端末ＰＣ５，ＰＣ６が属するグループ「Ｇｒｏｕｐ２」をグループテーブル１３４から読み出し（ステップＳＴ９ｃ）、通信帯域テーブル１３５を参照して、「Ｇｒｏｕｐ２−Ｇｒｏｕｐ２」に対応する最適帯域値「１．５ＭＨｚ」を決定し（ステップＳＴ９ｅ）、決定した帯域値を用いてデータ端末ＰＣ５，ＰＣ６へ制御信号を送信する（ステップＳＴ９ｅ）。以後、データ端末ＰＣ５、ＰＣ６は受け取った帯域値を用いてビデオ通信を開始する。
【００３８】
なお、データ端末ＰＣ１〜ＰＣｎは様々なネットワーク環境に位置することが考えられ、利用可能なネットワーク帯域の大きさも異なる。あらゆる環境間でビデオ通信を行う可能性があるため、通信に用いる帯域値は環境に応じた適切な値を用いる必要がある。
【００３９】
そこで、ネットワーク環境を考慮したグループ化を行い、グループ間毎の最適な利用帯域の設定を可能とする。例えばＧｒｏｕｐ１は利用可能帯域が低く、Ｇｒｏｕｐ２、Ｇｒｏｕｐ３はある程度余裕のある環境であると想定する。各データ端末ＰＣ１〜ＰＣｎをどのグループとするかは、保守者が保守端末よりデータ端末ＰＣ１〜ＰＣｎ毎に設定可能とし、ＶＣＳサーバＳＶＡはその情報を保持する。各グループ間での利用帯域値も保守者が設定し、通話開始に至った際にそれぞれのデータ端末ＰＣ１〜ＰＣｎがどのグループに属するかを把握し、最適な帯域値を決定する。通信帯域テーブル１３５により、Ｇｒｏｕｐ１−Ｇｒｏｕｐ２間、Ｇｒｏｕｐ１−Ｇｒｏｕｐ３間では低い帯域とし、Ｇｒｏｕｐ２−Ｇｒｏｕｐ３間ではある程度大きな帯域値を利用する。
【００４０】
以上のように上記第１の実施形態では、ＶＣＳサーバＳＶＡにおいて、複数のデータ端末ＰＣ１〜ＰＣｎをネットワーク環境に応じてグループ化してこのグループ（Ｇｒｏｕｐ１，Ｇｒｏｕｐ２，Ｇｒｏｕｐ３）と複数のデータ端末ＰＣ１〜ＰＣｎとを対応付けたグループテーブル１３４と、各グループの組み合わせとセッション確立される複数のデータ端末ＰＣ１〜ＰＣｎ間で利用可能な帯域値とを対応付けた通信帯域テーブル１３５とを設け、主装置ＢＴから呼情報イベントを受信した場合に、グループテーブル１３４及び通信帯域テーブル１３５を参照して、セッション確立されるデータ端末ＰＣ５，ＰＣ６に対しグループ単位で通信帯域の割り当てを行なうようにしている。
【００４１】
従って、例えば複数の会社や複数の部署、個人が１つのシステムを共用する場合に、各会社、各部署または個人ごとに利用可能な通信帯域を割り当てることができ、これによりシステムを利用するユーザは自身の環境を意識することなく、最適な形でビデオ通信を行なうことができる。
【００４２】
また、データ端末ＰＣ１〜ＰＣｎ単位で通信帯域を割り当てる場合に比べて記憶部１３の容量を圧迫することなく、さらに制御部１２における処理負荷も軽減できる。
【００４３】
（第２の実施形態）  
図１０は、この発明の第２の実施形態として、ＶＣＳサーバＳＶＢの機能構成を示すブロック図である。なお、図１０において、上記図２と同一部分には同一符号を付して詳細な説明を省略する。
【００４４】
記憶部１３には、スケジュールテーブル１３６が設けられている。このスケジュールテーブル１３６には、図１１に示すように、時間帯（開始時刻及び終了時刻）と、複数の通信帯域テーブル１３５の識別子との対応関係を表すデータが記憶されている。
【００４５】
一方、制御部１２は、テーブル切替制御部１２４を備えている。テーブル切替制御部１２４は、スケジュールテーブル１３６を参照して、図１２に示す複数の通信帯域テーブル１３５のうちの１つを選択的に有効状態に設定する。
【００４６】
次に、上記構成における運用について説明する。  
上記システムを運用する中で、1日のうちである決まった時間帯ごとに設定を変えることでより柔軟な設定が可能となる。この場合、スケジューリングを行うことで自動で設定を変更することができれば、保守者の負担を軽減することができる。
【００４７】
そこで、先に記述した通信帯域テーブル１３５を複数設け、保守者が時間帯に応じて必要な通信帯域テーブル１３５の識別子をスケジュールテーブル１３６に予め登録しておくことで、スケジューリングによる自動設定を実現する。
【００４８】
すなわち、ＶＣＳサーバＳＶＢは、例えば時刻が１７：００になると、通信帯域テーブル１３５をテーブル１からテーブル２に切り替え、２０：００になるとテーブル２からテーブル３に切り替え、１２：００になるとテーブル３からテーブル１に切り替える。
【００４９】
以上のように上記第２の実施形態であれば、例えば時間帯に応じて通信帯域テーブル１３５を自動的に変更することが可能となり、また設定を行なう保守者の負担は最小限に抑えられる。なお、上記通信帯域テーブル１３５の切替条件としては、時間帯以外に例えば通信トラフィック等を用いることが可能である。
【００５０】
（第３の実施形態）  
図１３は、この発明の第３の実施形態として、ＶＣＳサーバＳＶＣの機能構成を示すブロック図である。なお、図１３において、上記図２と同一部分には同一符号を付して詳細な説明を省略する。
【００５１】
制御部１２は、グループ更新制御部１２５を備えている。グループ更新制御部１２５は、例えばデータ端末ＰＣ２が企業から家庭に移動された場合に、グループテーブル１３４中のデータ端末ＰＣ２が属するグループを更新する。
【００５２】
次に、上記構成における運用について説明する。  
システムを利用するユーザが、社内のデータ端末ＰＣ１からログオンする場合もあれば、自宅のデータ端末ＰＣ１からログオンする場合も考えられる。つまり、同一クライアントがその利用環境を変更することが想定される。環境の違いはＩＰアドレス体系の違いとして現れることが多く、またユーザがログオンした際、ＶＣＳサーバＳＶＣはログオンを行ったデータ端末ＰＣ１のＩＰアドレスがわかるため、予め保守者によりＩＰアドレス体系とグループの関連付けを設定しておき、その環境に応じてデータ端末ＰＣ１に対するグループを変更することも可能となる。これにより、同一クライアントによる利用環境の変更に対応することができる。
【００５３】
なお、使用場所以外に、例えば通信トラフィックや時間帯等を条件に用いて、データ端末ＰＣ１〜ＰＣｎに対するグループ変更を行なうようにしてもよい。
【００５４】
（その他の実施形態）  
この発明は、上記各実施形態に限定されるものではない。例えば上記各実施形態では、主装置とＶＣＳサーバとを別々に設ける例について説明したが、ＶＣＳサーバ内に主装置の機能を組み込むようにしてもよい。
【００５５】
その他、ＶＣＳサーバの構成及び種類、電話交換装置の種類（主装置に限らずＰＢＸでもよい）や内線端末の種類、データ端末の種類、各種テーブルの記憶内容、データ端末間のセッション制御方法やグループ変更方法等についても、この発明の要旨を逸脱しない範囲で種々変形して実施できる。
【図面の簡単な説明】
【００５６】
【図１】この発明の第１の実施形態に係わるビジュアルコミュニケーションシステムを示す概略構成図。
【図２】図１に示したＶＣＳサーバの機能構成を示すブロック図。
【図３】上記図２に示した接続情報管理テーブルの記憶内容の一例を示す図。
【図４】上記図２に示した内線端末−ＶＣ関連付けテーブルの記憶内容の一例を示す図。
【図５】上記図２に示したセッション情報管理テーブルの記憶内容の一例を示す図。
【図６】上記図２に示したグループテーブルの記憶内容の一例を示す図。
【図７】上記図２に示した通信帯域テーブルの記憶内容の一例を示す図。
【図８】同第１の実施形態において、データ端末を内線端末に関連付ける場合の動作を示すシーケンス図。
【図９】データ端末に割り当てる通信帯域値を決定する際のＶＣＳサーバの制御処理手順を示すフローチャート。
【図１０】この発明の第２の実施形態として、ＶＣＳサーバの機能構成を示すブロック図。
【図１１】上記図１０に示したスケジュールテーブルの記憶内容の一例を示す図。
【図１２】上記図１０に示した通信帯域テーブルの記憶内容の一例を示す図。
【図１３】この発明の第３の実施形態として、ＶＣＳサーバＳＶＣの機能構成を示すブロック図。
【図１４】同第３の実施形態における同一のデータ端末を違う環境へ移動した際の動作を説明するために示す図。
【符号の説明】
【００５７】
１…ＬＡＮ（Local Area Network）、１１…ＬＡＮインタフェース（Ｉ／Ｆ）部、１２…制御部、１３…記憶部、１４…ＰＣインタフェース（Ｉ／Ｆ）部、１２１…接続情報登録部、１２２…セッション制御部、１２３…帯域割当制御部、１２４…テーブル切替制御部、１２５…グループ更新制御部、１３１…接続情報管理テーブル、１３２…内線端末−ＶＣ関連付けテーブル、１３３…セッション情報管理テーブル、１３４…グループテーブル、１３５…通信帯域テーブル、１３６…スケジュールテーブル、Ｔ１１〜Ｔ１ｉ…内線端末、Ｌ…局線、ＮＷ…公衆網、ＢＴ…主装置、ＰＣ１〜ＰＣｎ…データ端末、ＳＶＡ，ＳＶｂ，ＳＶＣ…ＶＣＳサーバ、ＩＰＮ…ＩＰネットワーク。
【図１】
2007259312.tif 000003
【図２】
2007259312.tif 000004
【図３】
2007259312.tif 000005
【図４】
2007259312.tif 000006
【図５】
2007259312.tif 000007
【図６】
2007259312.tif 000008
【図７】
2007259312.tif 000009
【図８】
2007259312.tif 000010
【図９】
2007259312.tif 000011
【図１０】
2007259312.tif 000012
【図１１】
2007259312.tif 000013
【図１２】
2007259312.tif 000014
【図１３】
2007259312.tif 000015
【図１４】
2007259312.tif 000016